(57)【特許請求の範囲】
【請求項１】
複数のレンズと、光量を調節する絞りと、透過率分布を有する光学素子と、を有する光学系であって、
前記光学素子の光軸から径方向における距離をｒ、前記光軸から前記光学素子の透過率が最大値の９割の値となる位置までの径方向における距離をｒ１、距離ｒの位置での前記光学素子の透過率をＴ（ｒ）、前記光学素子の透過率の最大値をＴ０、前記光学素子の有効径をｒａ、とするとき、
ｒ１はｒａ／２以上であり、ｒ１＜ｒの領域では、前記光軸から径方向に離れるに従って前記透過率が減少し、０≦ｒ≦ｒ１の領域では、
０．９≦Ｔ（ｒ）／Ｔ０
なる条件を満たし、
前記絞りを最も開いた際に、前記光軸から前記光学素子の透過率がＴ０／２の値となる位置までの径方向における距離をｒ２、前記光学素子における最軸外光束の入射領域の端点をＰ１、前記入射領域の上端をＰ２、前記入射領域の下端をＰ３、前記光軸に垂直な平面に射影されたＰｉ（ｉ＝１，２，３）に対応する点と前記光軸の間の距離をＯＰｉとすると、
（ＯＰ２＋ＯＰ３）／２ｒａ≦ｒ２／ｒａ≦ＯＰ１／ｒａ
なる条件を満たすことを特徴とする光学系。
【請求項２】
無限遠にフォーカスした際に、前記光学系の焦点距離をｆ、開放Ｆ値をＦｎｏとすると、
１０ｍｍ≦ｆ／Ｆｎｏ≦７０ｍｍ
なる条件を満たすことを特徴とする請求項１に記載の光学系。
【請求項３】
前記光学系の半画角をωとすると、
９°≦ω≦４５°
なる条件を満たすことを特徴とする請求項１又は２に記載の光学系。 
【請求項４】
４３０ｎｍ以上７００ｎｍ以下の波長域における前記透過率の最大値をＴｍａｘ、前記透過率の最小値をＴｍｉｎとすると、
｛（Ｔｍａｘ−Ｔｍｉｎ）／Ｔｍａｘ｝×１００（％）≦２０％
なる条件を満たすことを特徴とする請求項１乃至３のうちいずれか１項に記載の光学系。
【請求項５】
前記光学素子は、前記絞りに隣接して配置されていることを特徴とする請求項１乃至４のうちいずれか１項に記載の光学系。
【請求項６】
前記光学素子は、前記絞りの光入射側および光出射側にそれぞれ配置されていることを特徴とする請求項１乃至４のうちいずれか１項に記載の光学系。
【請求項７】
前記上端は前記入射領域のメリジオナル面における端のうちの一方であり、
前記下端は前記入射領域のメリジオナル面における端のうちの他方であり、
前記端点は前記入射領域のうち前記上端と前記下端を結ぶ線分からの距離が最も大きい位置の点であることを特徴とする請求項１乃至６のいずれか一項に記載の光学系。
【請求項８】
請求項１乃至７のうちいずれか１項に記載の光学系を有することを特徴とする光学機器。
【発明の詳細な説明】
【技術分野】
【０００１】
本発明は、光学系および光学機器に関する。
【背景技術】
【０００２】
一般に、撮影光学系の光学性能は合焦物体の結像性能で評価されるが、用途によっては、焦点外れ像（ボケ像）の見え方が撮影光学系の光学性能にとって重要な評価指標になる場合がある。特に、銀塩フィルム用カメラや半導体撮像素子を用いたデジタルスチルカメラ、ビデオカメラ、ＴＶカメラ等の撮像装置に用いられる撮影光学系では、焦点外れ像の見え方が重要視される傾向にある。
【０００３】
特許文献１は、絞り近傍に配置されたアポダイゼーションフィルターを有し、無限遠合焦状態から近接撮影距離合焦状態へのフォーカシングに際して、少なくとも１つのレンズ群の間隔を変化させながら全系を物体側に移動させる撮影レンズ系を提案している。
【先行技術文献】
【特許文献】
【０００４】
【特許文献１】特開平０９−２３６７４０号公報
【発明の概要】
【発明が解決しようとする課題】
【０００５】
一般に、広角から中望遠の撮影光学系においては、軸外光束のサジタルハロが画面周辺部における焦点外れ像の強度ムラを引き起こし、アポダイゼーションフィルターは、このサジタルハロの除去に効果的である。しかし、特許文献１に記載のアポダイゼーションフィルターは、光軸から光軸と垂直な方向に離れるに従って次第に減少する透過率分布が略ガウス分布になるように構成されているため、光束中心付近のサジタルハロ以外の光線に対しても透過率を下げてしまう。その結果、光量低下の問題が発生する。
【０００６】
本発明の目的は、焦点外れ像の光量の低下を抑制しつつ、焦点外れ像の見え方を改善することが可能な光学系および撮像装置を提供することである。
【課題を解決するための手段】
【０００７】
本発明の光学系は、複数のレンズと、光量を調節する絞りと、透過率分布を有する光学素子と、を有する光学系であって、前記光学素子の光軸から径方向における距離をｒ、前記光軸から前記光学素子の透過率が最大値の９割の値となる位置までの径方向における距離をｒ１、距離ｒの位置での前記光学素子の透過率をＴ（ｒ）、前記光学素子の透過率の最大値をＴ０、前記光学素子の有効径をｒａ、とするとき、ｒ１はｒａ／２以上であり、ｒ１＜ｒの領域では、前記光軸から径方向に離れるに従って前記透過率が減少し、
０≦ｒ≦ｒ１の領域では、
０．９≦Ｔ（ｒ）／Ｔ０
なる条件を満たし、前記絞りを最も開いた際に、前記光軸から前記光学素子の透過率がＴ０／２の値となる位置までの径方向における距離をｒ２、前記光学素子における最軸外光束の入射領域の端点をＰ１、前記入射領域の上端をＰ２、前記入射領域の下端をＰ３、前記光軸に垂直な平面に射影されたＰｉ（ｉ＝１，２，３）に対応する点と前記光軸の間の距離をＯＰｉとすると、
（ＯＰ２＋ＯＰ３）／２ｒａ≦ｒ２／ｒａ≦ＯＰ１／ｒａ
なる条件を満たすことを特徴とする。
【発明の効果】
【０００８】
本発明によれば、焦点外れ像の光量の低下を抑制しつつ、焦点外れ像の見え方を改善することが可能な光学系および撮像装置を提供することができる。
【図面の簡単な説明】
【０００９】
【図１】本実施形態の透過率分布素子と一般的なアポダイゼーション素子の透過率分布である。
【図２】本発明の撮影光学系の断面図である。（実施例１）
【図３】図２に示す撮影光学系の透過率分布素子における軸上及び最軸外光束の入射領域を示す図である。（実施例１）
【図４】図２に示す撮影光学系が形成する焦点外れ像の強度分布を示す図である。（実施例１）
【図５】本発明の撮影光学系の断面図である。（実施例２）
【図６】図５に示す撮影光学系の透過率分布素子における軸上及び最軸外光束の入射領域を示す図である。（実施例２）
【図７】図５に示す撮影光学系が形成する焦点外れ像の強度分布を示す図である。（実施例２）
【図８】本発明の撮影光学系の断面図である。（実施例３）
【図９】図８に示す撮影光学系の透過率分布素子における軸上及び最軸外光束の入射領域を示す図である。（実施例３）
【図１０】図８に示す撮影光学系が形成する焦点外れ像の強度分布を示す図である。（実施例３）
【図１１】本発明の撮影光学系の断面図である。（実施例４）
【図１２】図１１に示す撮影光学系の透過率分布素子における軸上及び最軸外光束の入射領域を示す図である。（実施例４）
【図１３】図１１に示す撮影光学系が形成する焦点外れ像の強度分布を示す図である。（実施例４）
【図１４】本発明の透過率分布素子が有する透過率分布を示す図である。（実施例１、２、３、４）
【図１５】本実施形態の撮影システムのブロック図である。
【発明を実施するための形態】
【００１０】
図１５は、本実施形態の撮影システム（光学機器）１００のブロック図である。撮影システムは、交換レンズ（光学機器）１１０と、交換レンズ１１０が交換可能に装着される撮像装置１２０と、から構成される。交換レンズ１１０は、本実施形態の光学系を有する。撮像装置１２０は、例えば、銀塩フィルム用カメラや半導体撮像素子を用いたデジタルスチルカメラ、ビデオカメラ、ＴＶカメラ等であり、一眼レフカメラやミラーレスカメラ（ノンフレックス一眼レフカメラ）などである。但し、本発明は、レンズ一体型の撮像装置にも適用することができるため、光学機器が撮像装置として機能してもよい。また、本実施形態の光学系は、顕微鏡や投射型表示装置など他の光学機器にも適用することができる。以下、本実施形態の光学系を、交換レンズ１１０に設けられる撮影光学系を例として説明する。
【００１１】
撮影光学系は、立体被写体の撮影に適用することができる。ここで、「立体被写体」とは、光軸方向の距離が異なる複数の部分からなる被写体であり、特に、撮影時に撮影光学系の焦点面から被写界深度以上離れた点を持つ被写体のことである。
【００１２】
このとき、結像面には焦点外れ像が形成され、焦点外れ像の直径が撮影光学系のイメージサークル半径に対して約１〜２％より大きくなると、焦点外れ像として認識できるようになる。ここで、「イメージサークル」とは、レンズの有効径内を通った光線が結像する円である。本実施形態の光学系をデジタルスチルカメラやビデオカメラの撮影光学系として使用する場合、結像面はＣＣＤセンサーやＣＭＯＳセンサー等の半導体撮像素子（光電変換素子）の撮像面となる。また、本実施形態の光学系を銀塩カメラ用の撮影光学系として使用する場合、結像面はフィルム面となる。なお、前述のイメージサークル半径は、撮像装置においては撮像面及びフィルム面の最大像高としてもよい。
【００１３】
本実施形態の光学系は、各画角の光束に対して透過率分布を与え、焦点外れ像の光量分布を変化させる透過率分布素子を有する。外周部で光量が大きい焦点外れ像は輪郭が強くなるため、焦点外れ像の周辺部の透過率を中央部より低くしてもよい。以下では、透過率分布素子が有する透過率分布は中心対称であり、中央部より周辺部で透過率が小さい場合について説明する。
【００１４】
本実施形態の撮影光学系は、複数のレンズ、光量を調節する絞り、及び透過率分布素子を有する。
【００１５】
透過率分布素子は、透過率分布を有する光学素子であり、透明ガラス平板やレンズ面に所定の透過率分布を有するように吸収物質や反射物質を蒸着したり、感光材料を塗布して所定の濃度となるように露光したりすることで得られる。また、光吸収を有する物質（ＮＤガラス）で作成された凹レンズを使用してもよい。また、エレクトロクロミック材料等を利用して透過率分布を可変としてもよい。
【００１６】
図１は、本実施形態の透過率分布素子（ａ）と一般的なアポダイゼーション（ＡＰＤ）素子（ｂ）の透過率分布を示すグラフである。同図において、横軸は、光軸から径方向における距離ｒを表している。径方向は、光軸に垂直な平面において光軸から外側に向かう方向である。縦軸は、Ｔ（ｒ）／Ｔ０を表し、Ｔ（ｒ）は、距離ｒの位置での透過率、Ｔ０は、有効径内での透過率の最大値（最大透過率）を表している。有効径は、光学素子の光を通せる口径である。ｒ１は、透過率分布素子の透過率が有効径内での最大透過率の９割の値となる位置までの光軸から径方向の距離を表している。ｒ２は、透過率分布素子の透過率が有効径内での最大透過率の５割の値となる位置までの光軸から径方向における距離を表している。
【００１７】
図１の（ｂ）に示すようなガウス分布型の透過率分布素子を絞り近傍に有する撮影光学系は、焦点外れ像の強度ムラを引き起こす原因となっているサジタルハロを除去することができ、焦点外れ像を好ましく見せることができる。しかしながら、ガウス分布型の透過率分布では、焦点外れ像の強度ムラとは関係のない中心付近を通過する光線に対しても透過率の減少効果を与えてしまい、焦点外れ像の光量の低下とそれに伴う焦点外れ像の大きさの減少が避けられない。
【００１８】
そこで、本実施形態は、図１の（ａ）に示すような透過率分布素子を用いることで、光束の中心付近の光量低下を抑制しつつ、焦点外れ像の見え方を改良している。
【００１９】
また、一般的な撮影光学系では、軸外光束に口径食が見られる。「口径食」とは、光束の一部がケラレることを意味しており、ビネッティングとも呼ばれる。口径食のある撮影光学系では、軸上光束と軸外光束で絞りを通過する領域が一致しないために、透過率分布素子によって得られる効果が画角によって異なってしまう。一般には、軸外光束は、軸上光束より絞りの狭い範囲を通過するため、軸上光束に合わせた透過率分布とした場合は軸外光束では透過率分布の影響を得られない。また、絞りから離れた位置に透過率分布素子を配置した場合は軸外光束の中心が光軸から離れてしまうため、中心対称な透過率分布では軸外光束の透過率が非対称となってしまう。
【００２０】
そこで、本実施形態は、絞りより物体側へ離れた位置と絞りより像側へ離れた位置では軸外光束の形状が上下反転した関係になることに着目し、絞りの近傍に少なくとも１つの透過率分布素子を配置している。これにより、軸外光束の瞳透過率分布を等価的に中心対称に近づけることができる。軸外画角における焦点外れ像の改良効果を重視する場合は、透過率分布を有する光学素子を絞りの近傍に配置することで軸外光束に対しても有効にＡＰＤ効果を得ることができる。
【００２１】
透過率分布素子の光軸が通る中心から、光軸に垂直な径方向の距離をｒ、透過率分布素子の透過率が有効径内で最大透過率の９割の値となるｒの値をｒ１とする。このとき、ｒ１より外側の領域（ｒ１＜ｒ）では光軸から径方向に離れるに従って透過率が減少し、これ以外の領域（０≦ｒ≦ｒ１）では下記の条件式（１）を満たす。
０．９≦Ｔ（ｒ）／Ｔ０             （１）
また、ｒ１は下記の条件式（２）を満たす。
０．５≦ｒ１／ｒａ                 （２）
ただし、中心から径方向の距離ｒの位置での透過率をＴ（ｒ）、Ｔ０を有効径内での最大透過率、ｒａを有効径とする。
【００２２】
周辺部で光量が大きいエッジの効いた焦点外れ像を改良するには、光束の周辺部での透過率を光束の中央部よりも低くする必要がある。この条件を満たさない場合、光束の周辺部での光量を光束の中央部より強め、よりエッジの効いた汚い焦点外れ像となってしまう。このため、透過率分布素子が有する透過率は、周辺部において中心から径方向に離れるに従って減少することが好ましい。
【００２３】
条件式（１）及び（２）は、透過率分布素子が有する透過率分布の形状に関する式である。中心から一定の範囲では透過率を落とさないことでレンズ系が取り込む光量を増やすことができる。なお、光束の中央部においては、一定の範囲で透過率が一定であっても構わない。また、エレクトロクロミック材料を用いた透過率分布素子を使用した場合、透過率が滑らかに変化するような分布を作成することは難しく、段階的に透過率を変えてもよい。
【００２４】
条件式（１）の下限値を下回ると、透過率分布素子の中心付近において透過率が低くなり過ぎてしまい、撮像面に形成される焦点外れ像の中心付近の光量が低下してしまうため、好ましくない。条件式（２）の下限値を下回ると透過率分布素子の中心付近における透過率の高い領域が狭くなり過ぎてしまい、焦点外れ像の中心付近の光量が低下し、好ましくない。なお、製造の際のばらつきなどにより透過率の最も大きい点が光軸からずれる場合や透過率分布にムラができる場合がある。このような場合、透過率の誤差が５〜１０％以内に収まらないと焦点外れ像が汚くなり、好ましくない。
【００２５】
次に、本実施形態において、満足すると好ましい条件について説明する。
【００２６】
絞りを最も開いた際に、光軸から透過率が最大透過率Ｔ０の５割の値となる位置までの径方向の距離をｒ２とする。また、Ｏを光軸（透過率分布素子の中心と考えてもよい）、透過率分布素子における最軸外光束の入射領域の端点をＰ１、入射領域の上端、下端をＰ２、Ｐ３とする。すると、下記の条件式（３）を満たすことが好ましい。
（ＯＰ２＋ＯＰ３）／２ｒａ≦ｒ２／ｒａ≦ＯＰ１／ｒａ    （３）
ただし、ＯＰｉ（ｉ＝１，２，３）を光軸に垂直な平面に射影された点Ｏに対応する点と点Ｐｉに対応する点との間の距離とする。
【００２７】
条件式（３）は、透過率分布素子が有する透過率分布の形状に関する式である。条件式（３）の下限値を下回ると、透過率が最大透過率Ｔ０の５割未満となる領域が広くなり過ぎる。これにより、焦点外れ像の強度ムラを引き起こすサジタルハロ成分以外の光線も除去してしまい、焦点外れ像の光量が低くなり過ぎるため、好ましくない。条件式（３）の上限値を上回ると透過率が最大透過率の５割未満となる領域が狭くなり過ぎる。これにより透過率分布素子による焦点外れ像を改良する効果が低減してしまい、エッジの効いた焦点外れ像となってしまうため、好ましくない。
【００２８】
無限遠にフォーカスした際に、撮影光学系の焦点距離をｆ、開放Ｆ値をＦｎｏとすると、下記の条件式（４）を満たすことが好ましい。
１０ｍｍ≦ｆ／Ｆｎｏ≦７０ｍｍ                          （４）
条件式（４）は、撮影レンズの入射瞳径に関する式である。条件式（４）の下限値を下回ると、撮像面上での１つ１つの焦点外れ像が占める領域が小さくなり過ぎる。このとき焦点外れ像に与える透過率分布が撮像面上であまりにも小さくなるため、透過率分布素子による焦点外れ像を改良する効果が低減する。そもそも焦点外れ像が小さいために汚い焦点外れ像が撮影時に問題となりにくい。条件式（４）の上限値を上回ると、焦点外れ像が大きくなり、撮像面上での１つ１つの焦点外れ像が占める領域が大きくなり過ぎる。エッジの効いた焦点外れ像は撮影光学系の収差に対応して形成されるが、条件式（４）の上限値を上回るような大きい焦点外れ像では収差が焦点外れ像の光量分布に与える影響が小さくなるため、汚い焦点外れ像が撮影時に問題となりにくい。
【００２９】
条件式（４）は、更に好ましくは次の如く設定するのが良い。
１２ｍｍ≦ｆ／Ｆｎｏ≦７０ｍｍ                          （４ａ）
撮影レンズの半画角ωは、以下の条件式（５）を満たすことが好ましい。
９°≦ω≦４５°                                        （５）
条件式（５）は、撮影レンズの半画角に関する式である。エッジの効いた焦点外れ像は撮影光学系の収差に対応して形成されるが、条件式（５）の下限値を下回るような撮影光学系では焦点外れ像の光量分布を悪化させる収差を設計で抑えやすい。そのため、そもそも汚い焦点外れ像が生じにくく、透過率分布素子の効果が低減する。なお、条件式（５）の下限値を満たす場合は、撮影レンズのパースによる背景圧縮効果のために、背景に小さい点状または細い線状の光源や被写体が生じやすい。このような被写体は、焦点外れ像の輪郭が目立ちやすく、透過率分布素子の効果がより有効である。条件式（５）の上限値を上回ると、軸外光束における口径食がひどくなる。このとき、軸上光束及び軸外光束に焦点外れ像の改良効果を同時に与えることが困難になるため、好ましくない。
【００３０】
透過率分布素子において、４３０ｎｍ以上７００ｎｍ以下の波長域における透過率の最大値Ｔｍａｘと最小値Ｔｍｉｎは、
｛（Ｔｍａｘ−Ｔｍｉｎ）／Ｔｍａｘ｝×１００（％）≦２０％
なる条件を満足することが好ましい。この条件は、透過率の波長分散に関する条件である。この条件を満たさない場合、焦点外れ像の周辺部が色づき、焦点外れ像の改良効果が低減する。
【００３１】
各実施例の撮影光学系は、図２、図５、図８、図１１に示されている。図中の１１は軸上光束、１２は最軸外光束を表している。「軸外光束」とは、光軸外に結像する光束であり、その中で撮像面の最端部に結像する光束のことを「最軸外光束」と呼ぶ。各図では、光軸より下側から撮影光学系に入射する光束を代表的に示している。ＳＰは絞り、ＩＰは像面、Ｆ１またはＦ２は透過率分布素子である。
【００３２】
絞りを最も開いた際に、各実施例の透過率分布素子における軸上光束と最軸外光束のビネッティングの様子は、図３、図６、図９、図１２に示されている。図６及び図１２においては、（Ａ）が透過率分布素子Ｆ１、（Ｂ）が透過率分布素子Ｆ２に対応している。図中の２０は透過率分布素子の有効径、２１は軸上光束の入射領域、２２は最軸外光束の入射領域を表している。Ｏは透過率分布素子の中心位置（光軸の位置）、Ｐ１は入射領域２２の端点、Ｐ２、Ｐ３は入射領域２２の上端、下端である。
【００３３】
各実施例の撮影光学系によって撮像面に形成される焦点外れ像の強度分布は、図４、図７、図１０、図１３に示されている。横軸が位置Ｒ、縦軸が位置Ｒでの強度Ｉ（Ｒ）を表している。図中の３１は、透過率分布素子が無い構成での軸上画角における焦点外れ像の強度分布、３２は、透過率分布素子が配置された構成での軸上画角における焦点外れ像の強度分布を表している。また、３３は、透過率分布素子が無い構成での軸外画角における焦点外れ像の強度分布、３４は、透過率分布素子が配置された構成での軸外画角における焦点外れ像の強度分布を表している。Ｉ０は、主光線が撮像面に入射する位置での強度を表している。焦点外れ像の強度分布はメリジオナル面に垂直で主光線の入射位置を通る断面において評価した。
【００３４】
各実施例の透過率分布素子が有する透過率は、図１４に示されている。横軸はｒ／ｒａ、縦軸はＴ（ｒ）／Ｔ０を表している。
【００３５】
次に、本発明の各実施例について詳細に説明する。
【実施例１】
【００３６】
図２は、実施例１の撮影光学系の断面図である。絞りＳＰ近傍の前側（物体側）に透過率分布素子Ｆ１が配置されている。この場合、透過率分布素子Ｆ１は、透明ガラス平板に蒸着などによって形成することができる。透過率分布素子Ｆ１によって、軸上光束１１から最軸外光束１２までのあらゆる画角の光束に対して瞳強度分布を与え、焦点外れ像の見え方を改善している。標準レンズでは、このように１つの透過率分布素子のみでも足りる場合がある。複数の透過率分布素子を設けるよりも製造が容易になる。
【００３７】
図３は、透過率分布素子Ｆ１における軸上光束と最軸外光束のビネッティングの様子を表している。図３から明らかなように、最軸外光束に口径食が見られる。最軸外光束に対しても焦点外れ像の改良効果を与えるために、実施例１の透過率分布素子Ｆ１に図１４の４１に対応する透過率分布を与えた。
【００３８】
図４は、撮像面に形成される軸上及び１８ｍｍ像高となる軸外画角での焦点外れ像の強度分布を示している。焦点外れ像は、撮影光学系の焦点距離をｆとしたとき、撮像面から５０ｆ離れた位置に合焦させた状態において、撮像面から２３５ｆ離れた物体の焦点外れ像である。図４から分かるように、軸上画角での周辺部の強度が高いエッジの効いた焦点外れ像が、透過率分布４１によって周辺部の強度が緩やかに減少する良好な焦点外れ像に改善している。また、１８ｍｍ像高となる軸外画角においても周辺部の強度が減少しており、ＡＰＤ効果が得られている。その際、中心付近の強度の低下は起こっていない。
【００３９】
以上、実施例１の透過率分布素子Ｆ１により、光量の低下を抑制しつつ焦点外れ像の見え方が改善されている。
【実施例２】
【００４０】
図５は、実施例２の撮影光学系の断面図である。絞りより物体側に透過率分布素子Ｆ１が、絞りより像側に透過率分布素子Ｆ２が配置されている。その際、軸外光束の瞳透過率分布を等価的に中心対称に近づけるため、軸外光束の形状が中心対称に近い２面（絞りの前後）に配置した。透過率分布素子は曲率を持ったレンズ面に透過率分布を有する構成とした（即ち、透過率分布素子Ｆ１は第２レンズ面に形成され、透過率分布素子Ｆ２は最終レンズ面に形成されている）。透過率分布素子Ｆ１及びＦ２によって、軸上光束１１から最軸外光束１２までのあらゆる画角の光束に対して瞳強度分布を与え、焦点外れ像の見え方を改善している。
【００４１】
図６は、透過率分布素子における軸上光束と最軸外光束のビネッティングの様子を表している。図６から明らかなように、最軸外光束に口径食が見られる。最軸外光束に対しても焦点外れ像の改良効果を与えるために、実施例２の透過率分布素子Ｆ１及びＦ２に図１４の４２に対応する透過率分布を与えた。
【００４２】
図７は、撮像面に形成される軸上及び１８ｍｍ像高となる軸外画角での焦点外れ像の強度分布を示している。焦点外れ像は、撮影光学系の焦点距離をｆとしたとき、撮像面から５０ｆ離れた位置に合焦させた状態において撮像面から２３５ｆ離れた物体の焦点外れ像である。図７から明らかなように、軸上画角での周辺部の強度が高いエッジの効いた焦点外れ像が、透過率分布４２によって周辺部の強度が減少した良好な焦点外れ像に改善している。また、１８ｍｍ像高となる軸外画角においても中央部と周辺部の強度差が減少しており、ＡＰＤ効果が得られている。なお、軸外光束に対する焦点外れ像の改良効果を重視し、絞り近傍に透過率分布素子を配置する構成としたため、実施例１と比較して軸外光束の焦点外れ像の見え方が改善されている。その際、軸上画角において中心付近の強度の低下は起こっていない。
【００４３】
以上、実施例２の透過率分布素子Ｆ１及びＦ２により、光量の低下を抑制しつつ焦点外れ像の見え方が改善されている。
【実施例３】
【００４４】
図８は、実施例３の撮影光学系の断面図である。絞りＳＰより像側に透過率分布素子Ｆ１が配置されている。この場合、透過率分布素子Ｆ１は、透明ガラス平板に蒸着などによって形成することができる。この透過率分布素子Ｆ１によって、軸上光束１１から最軸外光束１２までのあらゆる画角の光束に対して瞳強度分布を与え、焦点外れ像の見え方を改善している。
【００４５】
図９は、透過率分布素子における軸上光束と最軸外光束のビネッティングの様子を表している。図９から明らかなように、最軸外光束に口径食が見られる。最軸外光束に対しても焦点外れ像の改良効果を与えるために、実施例３の透過率分布素子Ｆ１に図１４の４３に対応する透過率分布を与えた。
【００４６】
図１０は、撮像面に形成される軸上及び最軸外画角での焦点外れ像の強度分布を示している。焦点外れ像は、撮影光学系の焦点距離をｆとしたとき、撮像面から５０ｆ離れた位置に合焦させた状態において撮像面から９０ｆ離れた物体の焦点外れ像である。実施例３の撮影光学系では、透過率分布素子を含まない構成においても比較的良好な焦点外れ像を形成されるが、透過率分布４３によって軸上及び最軸外画角の焦点外れ像の見え方がさらに改善され、周辺部の強度が緩やかに減少している。また、その際中心付近の強度の低下は起こっていない。
【００４７】
以上、実施例３の透過率分布素子Ｆ１により、光量の低下を抑制しつつ焦点外れ像の見え方が改善されている。
【実施例４】
【００４８】
図１１は、実施例４の撮影光学系の断面図である。絞りより物体側に透過率分布素子Ｆ１が、絞りより像側に透過率分布素子Ｆ２が配置されている。その際、軸外光束の瞳透過率分布を等価的に中心対称に近づけるため、軸外光束の形状が中心対称に近い２面に配置した。透過率分布素子は曲率を持ったレンズ面に透過率分布を有する構成とした。透過率分布素子Ｆ１及びＦ２によって、軸上光束１１から最軸外光束１２までのあらゆる画角の光束に対して瞳強度分布を与え、焦点外れ像の見え方を改善している。
【００４９】
図１２は、透過率分布素子における軸上光束と最軸外光束のビネッティングの様子を表している。図１２から明らかなように最軸外光束に口径食が見られる。最軸外光束に対しても焦点外れ像の改良効果を与えるために、実施例４の透過率分布素子Ｆ１及びＦ２に図１４の４４に対応する透過率分布を与えた。
【００５０】
図１３は、撮像面に形成される軸上及び最軸外画角での焦点外れ像の強度分布を示している。焦点外れ像は、撮影光学系の焦点距離をｆとしたとき、撮像面から１６ｆ離れた位置に合焦させた状態において撮像面から無限遠離れた物体の焦点外れ像である。図１３から明らかなように、軸上及び最軸外画角での周辺部の強度が高いエッジの効いた焦点外れ像が、透過率分布４４によって周辺部の強度が緩やかに減少した良好な焦点外れ像に改善している。また、その際軸上画角において中心付近の強度の低下は起こっていない。
【００５１】
以上、実施例４の透過率分布素子Ｆ１及びＦ２により、光量の低下を抑制しつつ焦点外れ像の見え方が改善されている。
【００５２】
以下に、実施例１乃至４に対応する数値実施例１乃至４を示す。各数値実施例において、ｒは、物体側より第ｉ番目の面の曲率半径（ｍｍ）、ｄは、物体側より第ｉ番目と第ｉ＋１番目の軸上の面間隔（ｍｍ）、ｎｄとｖｄは第ｉ番目の光学部材の屈折率とアッベ数である。焦点距離ｆ（ｍｍ）、ＦナンバーＦｎｏ、画角ω（度）は、それぞれ無限遠物体に焦点を合わせたときの値である。ＢＦは、バックフォーカスであり、レンズ全長は第１面から像面までの距離を表している。また、非球面は、面番号の後に、＊の符号を付加して表している。非球面形状は、Ｘを光軸方向の面頂点からの変異量、ｈを光軸と垂直な方向の光軸からの高さ、ｒを近軸曲率半径、Ｋを円錐定数、Ａ４、Ａ６、Ａ８、Ａ１０を各々非球面係数としたとき、次式で表している。
【００５３】
レンズ群は、一以上のレンズから構成される。レンズ群が複数のレンズから構成される場合、一つの可動レンズ群はズーミング時またはフォーカス時に一体として移動する群である。
【００５４】
【数１】
0006489857.tif 000002
【００５５】
「ｅ±Ｚ」の表示は「１０±Ｚ」を意味する。
【００５６】
（数値実施例１）
単位 mm
面データ
面番号       r        d      nd         vd       有効径
1          ∞       2.00                         42.78
2         55.776    5.50   1.77250    49.6       38.04
3        359.778    2.80                         36.09
4          ∞      -1.60                         33.81
5         25.999    5.00   1.83481    42.7       31.97
6         42.223    1.20                         29.70
7         57.641    2.00   1.64769    33.8       29.56
8         17.674    8.40                         25.24
9          ∞       0.50   1.51633    64.1       24.55
10          ∞       0.10                         24.55
11(絞り)    ∞       6.50                         24.55
12        -19.386    2.00   1.80518    25.4       24.15
13        257.965    6.50   1.75700    47.8       28.14
14        -38.043    0.20                         29.83
15        -71.655    4.50   1.88300    40.8       30.67
16        -30.457   -0.80                         31.22
17          ∞       1.00                         30.14
18        123.258    3.00   1.80400    46.6       29.66
19       -104.699    0.00                         30.02
20          ∞       0.00                         30.32
21          ∞     (可変)                         30.32
像面        ∞   
各種データ
ズーム比      1.00 
焦点距離      52.46  
Fナンバー      1.48  
画角          22.41  
像高          21.64  
レンズ全長    88.50  
BF            39.70  
d21           39.70  
入射瞳位置    30.74  
射出瞳位置   -34.08  
前側主点位置  45.90  
後側主点位置 -12.76  
ズームレンズ群データ
群  始面    焦点距離  レンズ構成長  前側主点位置  後側主点位置
1    1      52.46        48.80        45.90        -12.76
単レンズデータ
レンズ  始面  焦点距離
1       1     84.78
2       5     71.09
3       7    -40.14
4       9      0.00
5      12    -22.32
6      13     44.21
7      15     57.07
8      18     70.83
（数値実施例２）
単位 mm
面データ
面番号       r        d      nd         vd       有効径
1          ∞       2.00                         42.78
2         57.520    5.50   1.77250    49.6       38.04
3        395.282    2.80                         36.09
4          ∞      -1.60                         33.81
5         25.921    5.00   1.83481    42.7       31.97
6         43.002    1.20                         29.70
7         59.016    2.00   1.64769    33.8       29.56
8         17.697    9.00                         25.24
9(絞り)    ∞       6.50                         24.55
10        -19.448    2.00   1.80518    25.4       24.15
11        280.464    6.50   1.75700    47.8       28.14
12        -37.481    0.20                         29.83
13        -74.530    4.50   1.88300    40.8       30.67
14        -30.712   -0.80                         31.22
15          ∞       1.00                         30.14
16        124.396    3.00   1.80400    46.6       29.66
17       -111.454    0.00                         30.02
18          ∞       0.00                         30.32
19          ∞     (可変)                         30.32
像面        ∞   
各種データ
ズーム比      1.00 
焦点距離      52.50  
Fナンバー      1.49  
画角          22.40  
像高          21.64  
レンズ全長    88.49  
BF            39.69  
d19           39.69  
入射瞳位置    30.97  
射出瞳位置   -33.78  
前側主点位置  45.96  
後側主点位置 -12.81  
ズームレンズ群データ
群  始面    焦点距離  レンズ構成長  前側主点位置  後側主点位置
1    1      52.50        48.80        45.96        -12.81
単レンズデータ
レンズ  始面  焦点距離
1       1     86.53
2       5     68.99
3       7    -39.78
4      10    -22.52
5      11     44.06
6      13     56.44
7      16     73.53
（数値実施例３）
単位 mm
面データ
面番号       r        d      nd         vd       有効径
1        104.460    9.00   1.48749    70.2       67.53
2       -300.232    0.50                         66.86
3         51.920    9.50   1.49700    81.5       59.38
4        243.875    3.00                         58.00
5       -610.337    3.50   1.83400    37.2       57.41
6         93.667    2.50                         53.72
7         61.059    8.00   1.49700    81.5       52.23
8       -583.753    0.50                         51.39
9         29.125    3.20   1.71736    29.5       42.31
10         24.344   12.50                         38.01
11(絞り)    ∞     (可変)                         35.56
12      -1837.096    4.50   1.84666    23.9       33.81
13        -55.859    2.00   1.72000    50.2       33.05
14         41.346    4.00                         29.79
15          ∞       0.10                         29.51
16          ∞       0.40   1.51633    64.1       29.49
17          ∞     (可変)                         29.43
18        -31.045    2.50   1.74077    27.8       26.05
19        175.679    8.50   1.77250    49.6       28.90
20        -40.350    0.50                         32.19
21        107.611    6.00   1.83400    37.2       35.44
22       -183.700  (可変)                         36.03
像面        ∞   
各種データ
ズーム比      1.00 
焦点距離     133.50  
Fナンバー      2.06  
画角           9.21  
像高          21.64  
レンズ全長   155.41  
BF            54.41  
d11            2.47  
d17           17.83  
d22           54.41  
入射瞳位置    74.70  
射出瞳位置   -91.21  
前側主点位置  85.82  
後側主点位置 -79.09  
ズームレンズ群データ
群  始面    焦点距離  レンズ構成長  前側主点位置  後側主点位置
1    1      93.66        52.20        -7.82        -43.87
2   12     -64.15        11.00         3.66         -4.30
3   18      81.23        17.50        17.37         10.16
単レンズデータ
レンズ  始面  焦点距離
1       1    160.14
2       3    130.58
3       5    -97.15
4       7    111.68
5       9   -286.91
6      12     67.97
7      13    -32.72
8      16      0.00
9      18    -35.43
10      19     43.22
11      21     82.14
（数値実施例４）
単位 mm
面データ
面番号       r        d      nd         vd       有効径
1          ∞       1.50                         54.03
2         79.773    2.00   1.60311    60.6       46.37
3         28.865    8.00                         39.23
4        117.212    4.00   1.77250    49.6       37.77
5       -212.879  (可変)                         36.80
6         84.814    1.50   1.48749    70.2       24.71
7         19.679   10.00                         21.16
8         22.595    3.50   1.91082    35.3       14.46
9        -45.147    1.00   1.73800    32.3       13.37
10         26.917    3.50                         12.87
11(絞り)    ∞     (可変)                         12.80
12        111.141    1.50   1.72916    54.7       12.69
13        -73.101  (可変)                         12.63
14        -13.184    1.50   1.74000    28.3       12.65
15       -132.829    4.50   1.69680    55.5       15.15
16        -17.844    0.80                         17.62
17*       -53.671    3.20   1.58313    59.4       19.54
18        -18.948    0.00                         20.58
19          ∞     (可変)                         22.26
像面        ∞   
非球面データ
第17面
K = 0.00000e+000  A 4=-2.50000e-005  A 6= 4.20000e-008  A 8=-6.00000e-010  
A10= 2.00000e-012  
各種データ
ズーム比      1.00 
焦点距離      28.50  
Fナンバー      2.85  
画角          37.20  
像高          21.64  
レンズ全長    99.00  
BF            38.00  
d 5            7.00  
d11            4.00  
d13            3.50  
d19           38.00  
入射瞳位置    28.63  
射出瞳位置   -29.20  
前側主点位置  45.04  
後側主点位置   9.50  
ズームレンズ群データ
群  始面    焦点距離  レンズ構成長  前側主点位置  後側主点位置
1    1    -528.68        15.50       -39.98        -57.63
2    6     374.88        19.50        48.86         38.18
3   12      60.69         1.50         0.53         -0.35
4   14      61.47        10.00        17.07         15.27
単レンズデータ
レンズ  始面  焦点距離
1       1    -76.12
2       4     98.37
3       6    -52.96
4       8     16.95
5       9    -22.72
6      12     60.69
7      14    -19.88
8      15     29.12
9      17     48.58
以上、本発明の好ましい実施形態について説明したが、本発明はこれらの実施形態に限定されず、その要旨の範囲内で種々の変形及び変更が可能である。
【００５７】
表１に、各数値実施例について、透過率分布素子の中心から径方向に離れた距離が透過率分布素子の有効径の５割の値になる位置での透過率Ｔ（０．５）に相当する数値を示す。表２に、各数値実施例について、条件式（２）〜（５）に相当する数値を示す。表３に、各数値実施例について、条件式（３）の上限値及び下限値に相当する数値を示す。
【００５８】
【表１】
0006489857.tif 000003
【００５９】
【表２】
0006489857.tif 000004
【００６０】
【表３】
0006489857.tif 000005
【産業上の利用可能性】
【００６１】
本発明の光学系は、カメラ、顕微鏡、投射型表示装置などの光学機器に適用することができる。
【符号の説明】
【００６２】
ＳＰ…絞り、Ｆ１、Ｆ２…透過率分布素子（光学素子）、２０…有効径、Ｏ…中心位置、Ｐ１…最軸外光束の端点、Ｐ２…最軸外光束の上端、Ｐ３…最軸外光束の下端
【図１】
0006489857.tif 000006
【図２】
0006489857.tif 000007
【図３】
0006489857.tif 000008
【図４】
0006489857.tif 000009
【図５】
0006489857.tif 000010
【図６】
0006489857.tif 000011
【図７】
0006489857.tif 000012
【図８】
0006489857.tif 000013
【図９】
0006489857.tif 000014
【図１０】
0006489857.tif 000015
【図１１】
0006489857.tif 000016
【図１２】
0006489857.tif 000017
【図１３】
0006489857.tif 000018
【図１４】
0006489857.tif 000019
【図１５】
0006489857.tif 000020